(57)【要約】【課題】小型のワイヤレスリモコンにも容易に適用することができ、かつワイヤレスリモコンの操作性にも優れた空気調和機を提供する。【解決手段】ワイヤレスリモコン１の片面に配置された複数の操作キーのいずれかを、単独かつ通常の操作モードで操作した場合には、ワイヤレスリモコン１から空調ユニット２に、その操作された操作キーの種別に応じた空調ユニット２の制御情報を送信する。前記複数の操作キーから選択される特定の操作キーを二重押しした場合、或いは長押しした場合には、ワイヤレスリモコン１から空調ユニット２に、その操作された操作キーの種別及び操作方法に応じたアドレス切換信号を送信する。【選択図】図１
2010266146.tif 000002
【特許請求の範囲】
【請求項１】
ワイヤレスリモコンの片面に配置された複数の操作キーのいずれかを操作することにより、前記ワイヤレスリモコンからその操作された操作キーの種別に応じた制御情報を空調ユニットに送信し、前記空調ユニットを前記ワイヤレスリモコンから送信された制御情報に従って運転する空気調和機において、
前記複数の操作キーから選択される特定の操作キーは、前記制御情報を送信する場合とは異なる方法で操作することにより、前記ワイヤレスリモコンから前記空調ユニットに、前記空調ユニットに登録されているワイヤレスリモコン識別用のアドレス情報を切り換えるためのアドレス切換信号を送信するように構成されており、前記ワイヤレスリモコンから前記アドレス切換信号が送信されたとき、前記空調ユニットは、先に登録されている前記アドレス情報を前記アドレス切換信号に付加された変更後のアドレス情報に切り換えることを特徴とする空気調和機。
【請求項２】
前記ワイヤレスリモコンから前記空調ユニットに送信される送信信号のフォーマットは、前記制御情報を送信する際の前記送信信号のフォーマットと、前記アドレス切換信号を送信する際の前記送信信号のフォーマットとが共通であることを特徴とする請求項１に記載の空気調和機。
【請求項３】
前記ワイヤレスリモコンは、前記操作キーの取付面に表示装置を備えており、前記特定の操作キーが前記制御情報を送信する場合とは異なる方法で操作されたとき、前記アドレス切換信号に付加された変更後のアドレス情報を前記表示装置に表示することを特徴とする請求項１に記載の空気調和機。
【請求項４】
前記ワイヤレスリモコンは、不揮発性メモリを備えており、前記特定の操作キーが前記制御情報を送信する場合とは異なる方法で操作されたとき、前記アドレス切換信号に付加された変更後のアドレス情報を前記不揮発性メモリに記憶することを特徴とする請求項１に記載の空気調和機。
【発明の詳細な説明】
【技術分野】
【０００１】
本発明は、空気調和機に係り、特に、ワイヤレスリモコンから空調ユニットへのアドレス切換信号の送信手段に関する。
【背景技術】
【０００２】
近年の空気調和機は、マルチ型空気調和機についても、パッケージ型空気調和機についても、赤外線ワイヤレスリモコンによって遠隔操作されるものが多い。この種の空気調和機は、ワイヤレスリモコンから送信される制御情報をマルチ型空気調和機の室内機又はパッケージ型空気調和機の本体で受信し、制御情報に応じた運転を行う。なお、以下においては、マルチ型空気調和機の室内機及びパッケージ型空気調和機の本体を総称して、「空調ユニット」という。
【０００３】
ところで、オフィスなどにおいては、一室に複数台の空調ユニットが設置される場合があり、この場合にも各空調ユニットは、夫々に付随するワイヤレスリモコンを操作することで運転が切り換えられる。しかしながら、一室に設置される複数台の空調ユニットが同種のワイヤレスリモコンを操作することで運転されるものである場合には、図６に示すように、例えば空調ユニットＡのみを運転しようとして１つのワイヤレスリモコン１を操作したにも拘わらず、空調ユニットＢも同じ制御情報に反応してしまいやすく、各空調ユニットＡ，Ｂを個別に運転することが難しいという問題がある。
【０００４】
従来、この問題を解決するため、ワイヤレスリモコンから送信される制御情報に固有のアドレス情報を付加すると共に、空調ユニットに特定のワイヤレスリモコンを識別するためのアドレス情報を登録しておき、空調ユニットにおいてこれらの各アドレス情報が一致したときに、ワイヤレスリモコンから送信される制御情報に従った制御を行うようにした空気調和機が提案されている。また、単にワイヤレスリモコン側のアドレス情報と空調ユニット側のアドレス情報を１対１に対応させるだけではなく、室内における空調ユニットの設置状況や利用状況の変化に応じて、空調ユニットに登録されているアドレス情報を適宜切り換えられるようにするため、ワイヤレスリモコンにアドレス切換スイッチを設け、このアドレス切換スイッチが操作されたときには、ワイヤレスリモコンから空調ユニットにアドレス情報を切り換えるためのアドレス切換信号を送信し、この信号を受信した空調ユニットにおいて、登録されているアドレス情報を切り換え後のアドレス情報に変更する空気調和機も提案されている（例えば、特許文献１参照。）。
【先行技術文献】
【特許文献】
【０００５】
【特許文献１】特許第３８１８０３５号公報
【発明の概要】
【発明が解決しようとする課題】
【０００６】
しかしながら、ワイヤレスリモコンの操作面には、所要の制御情報を出力するための多数の操作キーや空調ユニットの運転状態等を表示するための液晶表示装置等が備えられているため、この面にアドレス切換スイッチを追加することはスペース的及び回路基板の構成上困難であり、実用化が難しいという問題がある。この問題は、ワイヤレスリモコンが小型であるほど顕著になる。なお、ワイヤレスリモコンの側面や裏面等の通常操作キーが設けられない部位にアドレス切換スイッチを配置すれば、この問題を解決することができるが、かかる構成によると、ワイヤレスリモコンの表面に設けられた液晶表示装置等を見ながらアドレス切換スイッチを操作することが困難であるので、操作性が悪いという別の問題を生じる。
【０００７】
本発明は、このような従来技術の問題点を解決するためになされたものであり、その目的は、小型のワイヤレスリモコンにも容易に適用することができ、かつワイヤレスリモコンの操作性にも優れた空気調和機を提供することにある。
【課題を解決するための手段】
【０００８】
本発明は、上述の目的を達成するため、ワイヤレスリモコンの片面に配置された複数の操作キーのいずれかを操作することにより、前記ワイヤレスリモコンからその操作された操作キーの種別に応じた制御情報を空調ユニットに送信し、前記空調ユニットを前記ワイヤレスリモコンから送信された制御情報に従って運転する空気調和機において、前記複数の操作キーから選択される特定の操作キーは、前記制御情報を送信する場合とは異なる方法で操作することにより、前記ワイヤレスリモコンから前記空調ユニットに、前記空調ユニットに登録されているワイヤレスリモコン識別用のアドレス情報を切り換えるためのアドレス切換信号を送信するように構成されており、前記ワイヤレスリモコンから前記アドレス切換信号が送信されたとき、前記空調ユニットは、先に登録されている前記アドレス情報を前記アドレス切換信号に付加された変更後のアドレス情報に切り換えるという構成にした。
【０００９】
かかる構成によると、ワイヤレスリモコンに備えられた制御情報送信用の操作キーを用いて、空調ユニットにアドレス情報を切り換えるためのアドレス切換信号を送信できるので、アドレス切換信号送信用の特別な操作キーをワイヤレスリモコンに備える必要がなく、小型のワイヤレスリモコンにも容易に適用できると共に、ワイヤレスリモコンの操作性を高めることができる。
【００１０】
また本発明は、前記構成の空気調和機において、前記ワイヤレスリモコンから前記空調ユニットに送信される送信信号のフォーマットは、前記制御情報を送信する際の前記送信信号のフォーマットと、前記アドレス切換信号を送信する際の前記送信信号のフォーマットとが共通であるという構成にした。
【００１１】
かかる構成によると、ワイヤレスリモコンに備えられるアドレス信号送信手段及び制御情報信号送信手段と、空調ユニットに備えられるアドレス信号受信手段及び制御情報信号受信手段とをそれぞれ共通化できるので、ワイヤレスリモコン及び空調ユニットの構成を簡略化することができる。
【００１２】
また本発明は、前記構成の空気調和機において、前記ワイヤレスリモコンは、前記操作キーの取付面に表示装置を備えており、前記特定の操作キーが前記制御情報を送信する場合とは異なる方法で操作されたとき、前記アドレス切換信号に付加された変更後のアドレス情報を前記表示装置に表示するという構成にした。
【００１３】
かかる構成によると、表示装置に操作キーの操作内容を表示することができるので、所要のキー操作を確実に行うことができる。
【００１４】
また本発明は、前記構成の空気調和機において、前記ワイヤレスリモコンは、不揮発性メモリを備えており、前記特定の操作キーが前記制御情報を送信する場合とは異なる方法で操作されたとき、前記アドレス切換信号に付加された変更後のアドレス情報を前記不揮発性メモリに記憶するという構成にした。
【００１５】
かかる構成によると、変更後のアドレス情報をワイヤレスリモコンに備えられた不揮発性メモリに記憶しておくことができるので、電池交換等でワイヤレスリモコンがリセットされた場合に、再びアドレスを切り換えるためのキー操作を行う必要がなくなる。
【発明の効果】
【００１６】
本発明によると、アドレス切換信号送信用の特別な操作キーをワイヤレスリモコンに備えることなく、空調ユニットにアドレス切換信号を送信できるので、小型のワイヤレスリモコンにも容易に適用できると共に、ワイヤレスリモコンの操作性を良好なものにすることができる。
【図面の簡単な説明】
【００１７】
【図１】実施形態に係る空気調和機の全体構成を示すブロック図である。
【図２】実施形態に係る空気調和機の送信信号のデータフォーマットを示す図である。
【図３】実施形態に係る空気調和機の機能ブロック図である。
【図４】実施形態に係る空気調和機のワイヤレスリモコン側における処理手順を示すフローチャートである。
【図５】実施形態に係る空気調和機の空調ユニット側における処理手順を示すフローチャートである。
【図６】従来技術の問題点を示す説明図である。
【発明を実施するための形態】
【００１８】
図１に示すように、実施形態に係る空気調和機は、ワイヤレスリモコン１と、空調ユニット２とから成る。ワイヤレスリモコン１は、空調ユニット２の運転状態を冷房、暖房又は除湿等に切り換える運転切換キー、温度設定キー、風速設定キー及び風向設定キー等の複数の操作キーが図示しない筐体の片面に備えられた操作キースイッチ部３と、操作キーの操作内容に応じて編集される制御情報又はアドレス切換信号を空調ユニット２にワイヤレス送信する赤外線送信部６と、空調ユニット２の現在の運転状況を表示する液晶表示部４と、アドレス情報などのワイヤレスリモコン１の設定状態を記憶するリモコン側不揮発性メモリ７と、これらの装置各部３，４，６，７の駆動を制御するリモコン側制御部５とを備えている。一方、空調ユニット２は、ワイヤレスリモコン１から送信された赤外線信号を受信する赤外線受信部８と、赤外線受信部８の受信信号に含まれるコマンドを解析する空調ユニット側制御部９と、赤外線受信部８の受信信号に含まれるコマンドがアドレス情報の切り換えを指示するものである場合に、その受信信号により指示された新たなアドレス情報を記憶する空調ユニット側不揮発性メモリ１０と、空調ユニット側制御部９からの制御信号に基づいて空調ユニット２を駆動するドライブ回路１１とを備えている。
【００１９】
操作キーを操作することによって操作キースイッチ部３から出力される信号は、リモコン側制御部５にて、図２（ａ）に示すアドレス設定信号又は図２（ｂ）に示す制御情報設定信号として編集され、編集された信号は、赤外線送信部６にて赤外線信号に変換されて、空調ユニット２に向けて送信される。即ち、操作キースイッチ部３に備えられた運転切換キー、温度設定キー、風速設定キー及び風向設定キー等を、単独かつ通常の操作方法で操作した場合には、図２（ｂ）に示すように、コマンドコードＤｎ−ｘに「各種制御情報設定」が登録され、アドレスコードＤｎ−ｙに制御すべき空調ユニット２のアドレス情報が登録され、かつ、その他の空調制御情報部に操作キーを操作することによって指示された制御情報が設定された制御情報設定信号がリモコン側制御部５にて編集され、赤外線送信部６から空調ユニット２に送信される。これに対して、例えば予め定められた複数の操作キーを組合わせて操作（二重押し）した場合、或いは予め定められた特定の操作キーを長押しした場合には、図２（ａ）に示すように、コマンドコードＤｎ−ｘに「アドレス設定」が登録され、アドレスコードＤｎ−ｙに変更後のアドレス情報が登録されたアドレス設定信号がリモコン側制御部５にて編集され、赤外線送信部６から空調ユニット２に送信される。そして、リモコン側制御部５にてアドレス設定信号が編集された場合には、アドレスコードＤｎ−ｙに登録された切り換え後のアドレス情報が、リモコン側不揮発性メモリ７に記憶される。
【００２０】
空調ユニット２においては、ワイヤレスリモコン１からの赤外線信号を赤外線受信部８で受信し、空調ユニット側制御部９にて受信した信号のコマンドコードＤｎ−ｘを解析する。そして、コマンドコードＤｎ−ｘが「アドレス設定」である場合には、アドレス設定信号のアドレスコードＤｎ−ｙに登録されたアドレス情報を空調ユニット側不揮発性メモリ１０に書き込む。また、解析の結果、受信した信号のコマンドコードＤｎ−ｘが「各種制御情報設定」である場合には、空調ユニット側不揮発性メモリ１０に記憶されているアドレス情報と空調制御情報のアドレスコードＤｎ−ｙに登録されたアドレス情報とを比較し、一致した場合のみ空調制御情報を取り込み、取り込まれた空調制御情報に応じた制御信号をドライブ回路１１に出力することで、所要の空調運転を行う。
【００２１】
かかる構成とすることにより、ワイヤレスリモコン１と空調ユニット２との間には、図３に示すように、空調ユニット２がワイヤレスリモコン１を識別するためのアドレスを設定するアドレス設定手段１２と、このアドレス設定手段１２によって設定されたアドレスを送信するアドレス信号送信手段１３と、設定されたアドレスを記憶するためのアドレス記憶手段１４と、ワイヤレスリモコン１からのアドレス信号を受信するアドレス信号受信手段１７と、このアドレス信号中のアドレスを記憶するためのアドレス記憶手段１８とからなるアドレス切換手段２２が機能的に構成される。また、空調ユニット２を制御するための制御情報設定手段１５と、この制御情報を空調ユニット２に送信するための制御情報信号送信手段１６と、ワイヤレスリモコン１からの制御情報信号（冷房、暖房、除湿等の運転切換、温度設定、風速設定、風向設定等々）を受信するための制御情報信号受信手段１９と、この制御情報信号受信時に信号中のアドレスと、アドレス記憶手段１８により記憶されているアドレスとが一致しているか否かを判定するアドレス確認手段２０と、アドレスが一致する制御情報のみを取り込み、制御情報信号に基づいて空調ユニットを制御する空調運転手段２１とからなる空調制御手段２３が機能的に構成される。
【００２２】
以下、実施形態に係る空気調和機の動作を、図４及び図５に基づいて説明する。図４に示すように、ワイヤレスリモコン１においては、ステップＳ１で操作キー入力の有無を検出する。操作キー入力有りの場合はステップＳ２に進み、アドレス切換操作（操作キーの二重押し又は長押し）の有無を検出する。ステップＳ１で、操作キー入力が無かった場合は、操作キー入力の検出を繰り返し行う。ステップＳ２で、アドレス切換操作有りの場合は、ステップＳ３に進んで、液晶表示部４にアドレス表示を行い、ステップＳ４へ進む。ステップＳ４において、アドレス情報をリモコン側の不揮発性メモリに記憶し、ステップＳ５においてアドレス情報をセットし、ステップ７へ進む。ステップＳ２でアドレス切換操作が無かった場合は、ステップＳ６へ進み制御情報をセットし、ステップＳ７へ進む。ステップＳ７ではステップＳ５又はステップＳ６でセットされた情報を赤外線信号に変換し、空調ユニット２に向けてワイヤレス信号の送信出力を行う。一方、図５に示すように、空調ユニット２においては、ステップＳ８でワイヤレス信号が受信されるのを待ち、受信有りの場合にはステップＳ９に進みコマンドデータの解析を行う。解析結果がアドレス設定信号の場合には、ステップＳ１０に進み、アドレス記憶更新を行い終了となる。ステップＳ９で、アドレス設定信号に該当しない場合は、ステップＳ１１へ進み、制御情報設定信号であるか確認する。制御情報設定信号の場合は、ステップＳ１２へ進み、記憶しているアドレスと受信信号中のアドレスとが一致しているか比較し、一致している場合のみステップＳ１３へ進み、制御出力を行う。ステップＳ１１及びステップＳ１２において該当しなかった場合は、ステップＳ１４へ進み、受信信号を無視する処理を行い終了とする。
【００２３】
続いて、ワイヤレスリモコン１によって切換可能なアドレスがアドレスＡとアドレスＢの２種類であり、ワイヤレスリモコン１及び空調ユニット２にアドレスＡが設定されている場合を例にとって、アドレス切換時の操作方法を説明する。
【００２４】
複数の空調ユニット２を個別の運転内容で独立に制御する場合には、まずワイヤレスリモコン１の操作方向を一台の空調ユニット２のみが反応する方向におき、ワイヤレスリモコン１を操作して、当該一台の空調ユニットに対して、アドレス情報をアドレスＡからアドレスＢに切り換えるアドレス切換操作を行う。このアドレス切換操作は、操作キースイッチ部３に備えられた操作キーを二重押し又は長押しすることによって行う。この操作により、この空調ユニット２は、アドレスＢを持った制御情報設定信号のみを受け付けるようになる。他の空調ユニットは元々アドレスＡであるため、アドレスＡを持った制御情報信号のみを受け付ける。
【００２５】
このアドレス切換は、一回目の操作でアドレスＢ、二回目の操作でアドレスＡ、三回目の操作でアドレスＢ…ｎ回目（ｎ＝１、３、５・・・・・）の操作でアドレスＢ、（ｎ＋１）回目の操作でアドレスＡというように、切換回数が奇数回の場合はアドレスＢ、偶数回の場合にはアドレスＡとなりアドレスが交互に切換えられる。
【００２６】
一台のワイヤレスリモコン１によって複数台の空調ユニットを同時に操作する場合には、同時に操作しようとする複数台の空調ユニット２が反応する方向にワイヤレスリモコン１を向けて、アドレス切換操作を行う。この操作により、これら複数台の空調ユニットは、全てアドレスＢを持った制御情報設定信号のみを受け付けるようになり、以降のリモコン操作により同時に制御することができる。
【００２７】
本例の空気調和機は、ワイヤレスリモコン１に備えられた制御情報送信用の操作キーを用いて、空調ユニット２にワイヤレスリモコン識別用のアドレス情報を切り換えるためのアドレス切換信号を送信できるので、アドレス切換信号送信用の特別な操作キーをワイヤレスリモコン１に備える必要がなく、小型のワイヤレスリモコンにも容易に適用することができる。また、アドレス切換信号送信用の特別な操作キーをワイヤレスリモコンの裏面などに設ける必要がないので、液晶表示部４を見ながらの操作が可能になり、操作性にも優れる。また、本例の空気調和機は、制御情報を送信する際の赤外線信号のフォーマットと、アドレス切換信号を送信する際の赤外線信号のフォーマットとを共通化したので、ワイヤレスリモコン１に備えられるアドレス信号送信手段１３及び制御情報信号送信手段１６と、空調ユニット２に備えられるアドレス信号受信手段１７及び制御情報信号受信手段１９とをそれぞれ共通化することができ、ワイヤレスリモコン１及び空調ユニット２の構成の簡略化を図ることができる。さらに、本例の空気調和機は、液晶表示装置４に操作キーの操作内容を表示するので、所要のキー操作を確実に行うことができる。加えて、本例の空気調和機は、変更後のアドレス情報をワイヤレスリモコン１及び空調ユニット２に備えられた不揮発性メモリ７，１０に記憶しておくことができるので、電池交換等でワイヤレスリモコンがリセットされた場合に、再びアドレスを切り換えるためのキー操作を行う必要がなくなる。
【００２８】
なお、前記実施形態においては、ワイヤレスリモコン１に液晶表示部４を備えたが、本発明の要旨はこれに限定されるものではなく、小型のワイヤレスリモコン等においては、液晶表示部４を省略することもできる。
【産業上の利用可能性】
【００２９】
本発明は、ワイヤレスリモコンを操作することによって制御情報及びアドレス切換信号を送信する空気調和機に適用できる。
【符号の説明】
【００３０】
１…ワイヤレスリモコン、２…空調ユニット、３…操作キースイッチ部、４…液晶表示部、５…リモコン側制御部（ＣＰＵ）、６…赤外線送信部、７…リモコン側不揮発性メモリ（ＥＥＰＲＯＭ）、８…赤外線受信部、９…空調ユニット側制御部（ＣＰＵ）、１０…空調ユニット側不揮発性メモリ（ＥＥＰＲＯＭ）、１１…ドライブ回路、１２…アドレス設定手段、１３…アドレス信号送信手段、１４…アドレス記憶手段、１５…制御情報設定手段、１６…制御情報信号送信手段、１７…アドレス信号受信手段、１８…アドレス記憶手段、１９…制御情報信号受信手段、２０…アドレス確認手段、２１…空調運転手段、２２…アドレス切換手段、２３…空調制御手段。
【図１】
2010266146.tif 000003
【図２】
2010266146.tif 000004
【図３】
2010266146.tif 000005
【図４】
2010266146.tif 000006
【図５】
2010266146.tif 000007
【図６】
2010266146.tif 000008